(57)【要約】暗証キーパッド、決済システム及び決済方法であって、暗証キーパッド（１）は、キーパッド本体と、テンキーモジュール（２０１）及びファンクションキーモジュール（２０２）を含むキー入力コンポーネントと、通信インターフェースとを含み、音波処理コンポーネント（１０）及びデータ処理チップ（３０）を更に含む。音波処理コンポーネント（１０）がデータ処理チップ（３０）と電気的に接続し、データ処理チップ（３０）が通信インターフェース（４０）を通じてＰＯＳターミナル（３）と電気的に接続している。音波処理コンポーネント（１０）は、音波受信モジュール（１０１）と音波フィルタモジュール（１０２）と音波増幅モジュール（１０３）と音波サンプリングモジュール（１０４）とを含む。音波受信モジュール（１０１）が音波フィルタモジュール（１０２）と電気的に接続し、音波フィルタモジュール（１０２）が音波増幅モジュール（１０３）と電気的に接続し、音波増幅モジュール（１０３）が音波サンプリングモジュール（１０４）と電気的に接続している。データ処理チップ（３０）は、音波解析モジュールと鍵生成モジュールとを含む。
2017526991.tif 000002
【特許請求の範囲】
【請求項１】
キーパッド本体と、テンキーモジュール及びファンクションキーモジュールを含むキー入力コンポーネントと、通信インターフェースと、を含む暗証キーパッドであって、
音波処理コンポーネント及びデータ処理チップを更に含み、前記音波処理コンポーネントが前記データ処理チップと電気的に接続し、前記データ処理チップが前記通信インターフェースを通じてＰＯＳターミナルと電気的に接続し、
前記音波処理コンポーネントは、音波受信モジュールと音波フィルタモジュールと音波増幅モジュールと音波サンプリングモジュールとを含み、前記音波受信モジュールが前記音波フィルタモジュールと電気的に接続し、前記音波フィルタモジュールが前記音波増幅モジュールと電気的に接続し、前記音波増幅モジュールが前記音波サンプリングモジュールと電気的に接続し、
前記データ処理チップは、音波解析モジュールと鍵生成モジュールとを含み、
前記音波受信モジュールは、電子機器から送信されたアナログ信号を受信するために用いられ、前記音波フィルタモジュールは、受信したアナログ信号に対しフィルタ処理を行い、干渉信号をろ過除去することでＳＮ比を高めるために用いられ、前記音波増幅モジュールは、信号を予め設定した信号解析範囲にまで増幅するために用いられ、前記音波サンプリングモジュールは、増幅した後のアナログ信号に対しサンプリング処理を行ってデジタル信号を形成するために用いられ、前記音波解析モジュールは、デジタル信号に対し復調、デコード及び復号化処理を行って決済信号を形成するために用いられ、前記鍵生成モジュールは、ユーザーからキーインされた数字に応答してキー信号を生成するために用いられ、前記通信インターフェースは、前記決済信号及び前記キー信号を前記ＰＯＳターミナルに送り込むために用いられることを特徴とする暗証キーパッド。
【請求項２】
前記音波受信モジュールは、マイクであり、前記マイクが前記キーパッド本体内に設けられ、前記キーパッド本体に貫通孔を設けており、前記マイクが前記貫通孔を通じてアナログ信号を受信することを特徴とする請求項１に記載の暗証キーパッド。
【請求項３】
前記通信インターフェースは、リアルインターフェース又はＵＳＢインターフェースであることを特徴とする請求項１に記載の暗証キーパッド。
【請求項４】
電子機器と暗証キーパッドとＰＯＳターミナルとを含み、前記暗証キーパッドがキーパッド本体とキー入力コンポーネントと通信インターフェースとを含み、前記キー入力コンポーネントがテンキーモジュール及びファンクションキーモジュールを含み、前記電子機器と前記暗証キーパッドとが通信リンクであり、前記暗証キーパッドが前記ＰＯＳターミナルと電気的に接続する決済システムであって、
前記電子機器は、決済データ生成モジュールと決済データ処理モジュールと決済データ送信モジュールとを含み、前記決済データ生成モジュールは、前記決済データ処理モジュールと電気的に接続し、前記決済データ処理モジュールは、前記決済データ送信モジュールと電気的に接続し、
前記暗証キーパッドは、音波処理コンポーネントとデータ処理チップとを更に含み、前記音波処理コンポーネントが前記データ処理チップと電気的に接続し、前記データ処理チップが前記通信インターフェースを通じて前記ＰＯＳターミナルと電気的に接続し、前記音波処理コンポーネントは、音波受信モジュールと音波フィルタモジュールと音波増幅モジュールと音波サンプリングモジュールとを含み、前記音波受信モジュールが前記音波フィルタモジュールと電気的に接続し、前記音波フィルタモジュールが前記音波増幅モジュールと電気的に接続し、前記音波増幅モジュールが前記音波サンプリングモジュールと電気的に接続し、
前記データ処理チップは、音波解析モジュールと鍵生成モジュールとを含み、
前記決済データ生成モジュールは、ユーザーが選択した音波による決済操作により取引に使用する決済データを生成するために用いられ、前記決済データ処理モジュールは、前記決済データに対し暗号化、エンコード及び変調処理を行ってアナログ信号を形成するために用いられ、前記決済データ送信モジュールは、変調処理後のアナログ信号を音波方式で前記暗証キーパッドに送信するために用いられ、
前記音波受信モジュールは、前記電子機器から送信されたアナログ信号を受信するために用いられ、前記音波フィルタモジュールは、受信したアナログ信号に対しフィルタ処理を行い、干渉信号をろ過除去することでＳＮ比を高めるために用いられ、前記音波増幅モジュールは、信号を予め設定した信号解析範囲にまで増幅するために用いられ、前記音波サンプリングモジュールは、増幅した後のアナログ信号に対しサンプリング処理を行ってデジタル信号を形成するために用いられ、前記音波解析モジュールは、デジタル信号に対し復調、デコード及び復号化処理を行って決済信号を形成するために用いられ、前記鍵生成モジュールは、ユーザーからキーインされた数字に応答してキー信号を生成するために用いられ、前記通信インターフェースは、前記決済信号及び前記キー信号をＰＯＳターミナルに送り込むために用いられ、
前記ＰＯＳターミナルは、前記キー信号に対し確認処理を行った後、前記決済信号によって決済取引を完了させるために用いられることを特徴とする決済システム。
【請求項５】
前記決済データの送信モジュールは、スピーカであり、前記スピーカが１０ｋＨＺ〜２０ｋＨＺの周波数で対外的にアナログ信号を発信し、前記音波受信モジュールはマイクであり、前記マイクが前記キーパッド本体内に設けられ、前記キーパッド本体に貫通孔を設けており、前記マイクが前記貫通孔を通じてアナログ信号を受信することを特徴とする請求項４に記載の決済システム。
【請求項６】
前記電子機器は、携帯電話、ＰＡＤ、タブレット型コンピュータ又はノートブックコンピュータであることを特徴とする請求項４に記載の決済システム。
【請求項７】
暗証キーパッドがＰＯＳターミナルの取引フローに応答して音波による決済の受信待ち状態に入り、前記暗証キーパッドと電子機器との間の通信リンクを確立するステップＳ１０と、
前記電子機器が、ユーザーの選択した音波による決済の操作によって取引に用いる決済データを生成するステップＳ２０と、
前記電子機器内において前記決済データに対し暗号化、エンコード及び変調処理を行った後、音波方式で前記暗証キーパッドにアナログ信号を送信するステップＳ３０と、
前記暗証キーパッドがアナログ信号を受信すると共にアナログ信号に対しフィルタ及び増幅処理を行うステップＳ４０と、
前記暗証キーパッドがフィルタや増幅処理を行った後のアナログ信号に対しサンプリング処理を行ってデジタル信号を生成するステップＳ５０と、
前記暗証キーパッドがデジタル信号に対し復調、デコード及び復号化処理を行って決済信号を得ると共に前記ＰＯＳターミナルにアップロードするステップＳ６０と、
前記暗証キーパッドがユーザーからキーインされた数字に応答してキー信号を生成すると共に前記ＰＯＳターミナルにアップロードするステップＳ７０と、
前記ＰＯＳターミナルが、前記キー信号に対し確認処理を行った後、前記決済信号によって決済取引を完了させるステップＳ８０と、
を含むことを特徴とする決済方法。
【請求項８】
前記ステップＳ３０において前記電子機器内において決済データに対し暗号化、エンコード及び変調処理を行うときに、２相又は４相の位相変調処理方式を通じて暗号化及びエンコードした後の決済データを処理し、
前記ステップＳ６０において前記暗証キーパッドがデジタル信号に対し復調、デコード及び復号化処理を行うときに、２相又は４相の位相復調方式を通じてデジタル信号に対し復調、デコード及び復号化処理を行うことを特徴とする請求項７に記載の決済方法。
【請求項９】
前記アナログ信号の周波数は、１０ｋＨＺ〜２０ｋＨＺであることを特徴とする請求項７に記載の決済方法。
【発明の詳細な説明】
【技術分野】
【０００１】
本発明は、電子決済技術分野に関し、特に、暗証キーパッド、決済システム及び決済方法に関する。
【背景技術】
【０００２】
従来の決済方法は、単一気味となっていたため、新たな決済方法が絶え間なく登場してきている。個人のポータブル決済は、既に将来の電子決済におけるホットな話題となっている。これは、従来の決済方式に進歩を求めようとしてはならず、古いもののよさを新しいものに絶え間なく活かすことで、新たな決済方法と結び付けて従来の決済の安定したメリットを発揮させ、新興の決済で大きなマーケットシェアを占める。
【０００３】
暗証キーパッドは、銀行キャッシュレジスターで不可欠のコンピュータ外部デバイスの一つであり、通信、政府、交通、商工、税務、スーパーマーケット等のサービス業に幅広く使用され、銀行システム、ＰＯＳターミナル及び管理システム内に組み込まれている。従来の決済における暗証キーパッドは、鍵入力デバイスとして主にパスワードの入力に用いられ、機能が単一であって、多機能の応用性がない。また、音波による決済を新たなモバイル決済方法とすると、市場の様々なスマートフォン及びＰＡＤとの両立が図れる。音波による決済には、主に携帯電話でＰＯＳ（Ｐｏｉｎｔ  Ｏｆ  Ｓａｌｅ）レジ等への決済方法がある。音波による決済方法において、１つ目の問題点は、関連のデータが容易に盗み取られると共に解析され、安全性の向上が必要とされる点であり、２つ目の問題点は、通信過程において外部音の干渉を容易に受けてしまう点である。これに鑑み、上記暗証キーパッドに対し更なる改善を行い、音波による決済を組み合わせることで、二者のメリットを発揮させ、また二者の欠点を排除する必要があった。
【発明の概要】
【０００４】
本発明の目的は、安全で信頼でき且つ音波による決済をサポートすることが可能な暗証キーパッド、決済システム及び決済方法を提供することである。
【０００５】
上記技術的課題を解決するため、本発明に係る暗証キーパッドは、キーパッド本体と、テンキーモジュール及びファンクションキーモジュールを含むキー入力コンポーネントと、通信インターフェースとを含み、音波処理コンポーネント及びデータ処理チップを更に含み、前記音波処理コンポーネントがデータ処理チップと電気的に接続し、前記データ処理チップが通信インターフェースを通じてＰＯＳターミナルと電気的に接続し、前記音波処理コンポーネントは、音波受信モジュールと音波フィルタモジュールと音波増幅モジュールと音波サンプリングモジュールとを含み、前記音波受信モジュールが音波フィルタモジュールと電気的に接続し、前記音波フィルタモジュールが音波増幅モジュールと電気的に接続し、前記音波増幅モジュールが音波サンプリングモジュールと電気的に接続し、前記データ処理チップは、音波解析モジュールと鍵生成モジュールとを含み、前記音波受信モジュールは、電子機器から送信されたアナログ信号を受信するために用いられ、前記音波フィルタモジュールは、受信したアナログ信号に対しフィルタ処理を行い、干渉信号をろ過除去することでＳＮ比を高めるために用いられ、前記音波増幅モジュールは、信号を予め設定した信号解析範囲にまで増幅するために用いられ、前記音波サンプリングモジュールは、増幅した後のアナログ信号に対しサンプリング処理を行ってデジタル信号を形成するために用いられ、前記音波解析モジュールは、デジタル信号に対し復調、デコード及び復号化処理を行って決済信号を形成するために用いられ、前記鍵生成モジュールは、ユーザーからキーインされた数字に応答してキー信号を生成するために用いられ、前記通信インターフェースは、前記決済信号及び前記キー信号をＰＯＳターミナルに送り込むために用いられることを特徴とする。
【０００６】
上記技術的課題を解決するため、本発明に係る決済システムは、電子機器と暗証キーパッドとＰＯＳターミナルとを含み、前記暗証キーパッドがキーパッド本体とキー入力コンポーネントと通信インターフェースとを含み、前記キー入力コンポーネントがテンキーモジュール及びファンクションキーモジュールを含み、前記電子機器と暗証キーパッドとが通信リンクであり、前記暗証キーパッドが前記ＰＯＳターミナルと電気的に接続し、前記電子機器は、決済データ生成モジュールと決済データ処理モジュールと決済データ送信モジュールとを含み、前記決済データ生成モジュールは、決済データ処理モジュールと電気的に接続し、前記決済データ処理モジュールは、決済データ送信モジュールと電気的に接続し、前記暗証キーパッドは、音波処理コンポーネントとデータ処理チップとを更に含み、前記音波処理コンポーネントがデータ処理チップと電気的に接続し、前記データ処理チップが通信インターフェースを通じてＰＯＳターミナルと電気的に接続し、前記音波処理コンポーネントは、音波受信モジュールと音波フィルタモジュールと音波増幅モジュールと音波サンプリングモジュールとを含み、前記音波受信モジュールが音波フィルタモジュールと電気的に接続し、前記音波フィルタモジュールが音波増幅モジュールと電気的に接続し、前記音波増幅モジュールが音波サンプリングモジュールと電気的に接続し、前記データ処理チップは、音波解析モジュールと鍵生成モジュールとを含み、前記決済データ生成モジュールは、ユーザーが選択した音波による決済操作により取引に使用する決済データを生成するために用いられ、前記決済データ処理モジュールは、前記決済データに対し暗号化、エンコード及び変調処理を行ってアナログ信号を形成するために用いられ、前記決済データ送信モジュールは、変調処理後のアナログ信号を音波方式で暗証キーパッドに送信するために用いられ、前記音波受信モジュールは、電子機器から送信されたアナログ信号を受信するために用いられ、前記音波フィルタモジュールは、受信したアナログ信号に対しフィルタ処理を行い、干渉信号をろ過除去することでＳＮ比を高めるために用いられ、前記音波増幅モジュールは、信号を予め設定した信号解析範囲にまで増幅するために用いられ、前記音波サンプリングモジュールは、増幅した後のアナログ信号に対しサンプリング処理を行ってデジタル信号を形成するために用いられ、前記音波解析モジュールは、デジタル信号に対し復調、デコード及び復号化処理を行って決済信号を形成するために用いられ、前記鍵生成モジュールは、ユーザーからキーインされた数字に応答してキー信号を生成するために用いられ、前記通信インターフェースは、前記決済信号及び前記キー信号をＰＯＳターミナルに送り込むために用いられ、前記ＰＯＳターミナルは、前記キー信号に対し確認処理を行った後、前記決済信号によって決済取引を完了させるために用いられる。
【０００７】
上記技術的課題を解決するため、本発明に係る決済方法は、次のステップを含む。
Ｓ１０：暗証キーパッドがＰＯＳターミナルの取引フローに応答して音波による決済の受信待ち状態に入り、前記暗証キーパッドと電子機器との間の通信リンクを確立する。
Ｓ２０：前記電子機器が、ユーザーの選択した音波による決済の操作によって取引に用いる決済データを生成する。
Ｓ３０：前記電子機器内において前記決済データに対し暗号化、エンコード及び変調処理を行った後、音波方式で前記暗証キーパッドにアナログ信号を送信する。
Ｓ４０：前記暗証キーパッドがアナログ信号を受信すると共にアナログ信号に対しフィルタ及び増幅処理を行う。
Ｓ５０：前記暗証キーパッドがフィルタや増幅処理を行った後のアナログ信号に対しサンプリング処理を行ってデジタル信号を生成する。
Ｓ６０：前記暗証キーパッドがデジタル信号に対し復調、デコード及び復号化処理を行って決済信号を得ると共に前記ＰＯＳターミナルにアップロードする。
Ｓ７０：前記暗証キーパッドがユーザーからキーインされた数字に応答してキー信号を生成すると共に前記ＰＯＳターミナルにアップロードする。
Ｓ８０：前記ＰＯＳターミナルが、前記キー信号に対し確認処理を行った後、前記決済信号によって決済取引を完了させる。
【発明の効果】
【０００８】
本発明によれば、暗証キーパッド上に音波処理コンポーネント及びデータ処理チップを設けることで、外部の電子機器の音波による決済をサポートすることができ、従来技術と新たな技術とを結び付けてユーザーの決済時に複数の決済選択肢を提供できる。これにより、ユーザーの普遍性と満足度を大幅に向上できると共に、各種従来の手入力による決済と新たな携帯電話、ＰＡＤ等のモバイル決済との互換性があり、決済がより一層便利で、誤り率も減少する。これに加え、電子機器上に設けられた決済データ処理モジュール及び暗証キーパッド上に設けられた信号処理モジュールが決済データを暗号化又は復号化できるため、音波による決済の安全性と信頼性を保証できる。
【図面の簡単な説明】
【０００９】
【図１】本発明の一実施形態に係る暗証キーパッドの構造ブロック図である。
【図２】本発明の一実施形態に係る音波処理コンポーネントの構造ブロック図である。
【図３】本発明の一実施形態に係る決済システムの構造ブロック図である。
【図４】本発明の一実施形態に係る決済方法のフローチャートである。
【発明を実施するための形態】
【００１０】
以下、本発明の技術内容、構造特徴、達成する目的及び効果を詳細に説明するため、実施形態を組み合わせたと共に添付図面を基に詳細に説明する。
【００１１】
本発明の最も重要な思想は、暗証キーパッド上に音波処理コンポーネント、データ処理チップを設けたことにより、音波による決済をサポートすることが可能であると共に、手入力の決済との互換性があり、安全性と信頼性が確保され、決済を迅速に行うことができ、人々の生活が便利になることである。
【００１２】
図１及び図２を参照すると、本発明の一実施形態に係る暗証キーパッドは、キーパッド本体と、テンキーモジュール２０１及びファンクションキーモジュール２０２を含むキー入力コンポーネントと、通信インターフェース４０と、を含む。本発明の一実施形態に係る暗証キーパッドは、音波処理コンポーネント１０及びデータ処理チップ３０を更に含む。音波処理コンポーネント１０は、データ処理チップ３０と電気的に接続している。データ処理チップ３０は、通信インターフェース４０を通じてＰＯＳターミナル３と電気的に接続している。音波処理コンポーネント１０は、音波受信モジュール１０１と音波フィルタモジュール１０２と音波増幅モジュール１０３と音波サンプリングモジュール１０４とを含む。音波受信モジュール１０１は、音波フィルタモジュール１０２と電気的に接続している。音波フィルタモジュール１０２は、音波増幅モジュール１０３と電気的に接続している。音波増幅モジュール１０３は、音波サンプリングモジュール１０４と電気的に接続している。データ処理チップ３０は、音波解析モジュールと鍵生成モジュールとを含む。
【００１３】
音波受信モジュール１０１は、電子機器２から送信されたアナログ信号を受信するために用いられる。音波フィルタモジュール１０２は、受信したアナログ信号に対しフィルタ処理を行い、干渉信号をろ過除去することでＳＮ比を高めるために用いられる。音波増幅モジュール１０３は、信号を予め設定した信号解析範囲にまで増幅するために用いられる。音波サンプリングモジュール１０４は、増幅した後のアナログ信号に対しサンプリング処理を行ってデジタル信号を形成するために用いられる。音波解析モジュールは、デジタル信号に対し復調、デコード及び復号化処理を行って決済信号を形成するために用いられる。鍵生成モジュールは、ユーザーからキーインされた数字に応答してキー信号を生成するために用いられる。通信インターフェース４０は、決済信号及びキー信号をＰＯＳターミナル３に送り込むために用いられる。
【００１４】
音波受信モジュール１０１は、マイクである。当該マイクは、キーパッド本体内に設けられている。キーパッド本体に貫通孔を設けており、マイクが貫通孔を通じてアナログ信号を受信する。このように、マイクがキーパッド内に統合されており、キーパッドのスペースを占めないため、小型化設計に便利である。
【００１５】
通信インターフェース４０は、リアルインターフェース又はＵＳＢインターフェースであることが好ましい。
【００１６】
上記音波信号の伝送速度は、１．２ｋｂｐｓ以上に達することができ、現在市場上の大部分の速度２００ｂｐｓに比べてもかなり高めであり、取引時間を大幅に短縮して、ユーザーの体感を向上できる。
【００１７】
＜本実施形態の有益な効果＞
暗証キーパッド上に音波処理コンポーネント１０及びデータ処理チップ３０を設けることで、外部の電子機器２の音波による決済をサポートすることができ、従来技術と新たな技術とを結び付けてユーザーの決済時に複数の決済選択肢を提供できる。これにより、ユーザーの普遍性と満足度を大幅に向上できると共に、各種従来の手入力による決済と新たな携帯電話、ＰＡＤ等のモバイル決済との互換性があり、決済がより一層便利で、誤り率も減少する。これに加え、電子機器２上に設けられた決済データ処理モジュール２２及び暗証キーパッド上に設けられた信号処理モジュールが決済データを暗号化又は復号化できるため、音波による決済の安全性と信頼性を保証できる。また、マイクがキーパッド内に統合されており、キーパッドのスペースを占めないため、小型化設計に便利である。
【００１８】
図３を参照すると、本発明の一実施形態に係る決済システムは、電子機器２と暗証キーパッド１とＰＯＳターミナルとを含む。暗証キーパッド１は、キーパッド本体とキー入力コンポーネントと通信インターフェース４０とを含む。キー入力コンポーネントは、テンキーモジュール２０１とファンクションキーモジュール２０２を含む。電子機器２と暗証キーパッド１とは通信リンクであり、暗証キーパッド１がＰＯＳターミナルと電気的に接続している。電子機器２は、決済データ生成モジュール２１と決済データ処理モジュール２２と決済データ送信モジュール２３とを含む。決済データ生成モジュール２１は、決済データ処理モジュール２２と電気的に接続している。決済データ処理モジュール２２は、決済データ送信モジュール２３と電気的に接続している。暗証キーパッド１は、音波処理コンポーネント１０とデータ処理チップ３０とを更に含む。音波処理コンポーネント１０は、データ処理チップ３０と電気的に接続している。データ処理チップ３０は、通信インターフェース４０を通じてＰＯＳターミナル３と電気的に接続している。音波処理コンポーネント１０は、音波受信モジュール１０１と音波フィルタモジュール１０２と音波増幅モジュール１０３と音波サンプリングモジュール１０４とを含む。音波受信モジュール１０１は、音波フィルタモジュール１０２と電気的に接続している。音波フィルタモジュール１０２は、音波増幅モジュール１０３と電気的に接続している。音波増幅モジュール１０３は、音波サンプリングモジュール１０４と電気的に接続している。データ処理チップ３０は、音波解析モジュールと鍵生成モジュールとを含む。
【００１９】
決済データ生成モジュール２１は、ユーザーが選択した音波による決済操作により取引に使用する決済データを生成するために用いられる。決済データ処理モジュール２２は、決済データに対し暗号化、エンコード及び変調処理を行ってアナログ信号を形成するために用いられる。決済データ送信モジュール２３は、変調処理後のアナログ信号を音波方式で暗証キーパッド１に送信するために用いられる。音波受信モジュール１０１は、電子機器２から送信されたアナログ信号を受信するために用いられる。音波フィルタモジュール１０２は、受信したアナログ信号に対しフィルタ処理を行い、干渉信号をろ過除去することでＳＮ比を高めるために用いられる。音波増幅モジュール１０３は、信号を予め設定した信号解析範囲にまで増幅するために用いられる。音波サンプリングモジュール１０４は、増幅した後のアナログ信号に対しサンプリング処理を行ってデジタル信号を形成するために用いられる。音波解析モジュールは、デジタル信号に対し復調、デコード及び復号化処理を行って決済信号を形成するために用いられる。鍵生成モジュールは、ユーザーからキーインされた数字に応答してキー信号を生成するために用いられる。通信インターフェース４０は、決済信号及びキー信号をＰＯＳターミナル３に送り込むために用いられる。ＰＯＳターミナル３は、キー信号に対し確認処理を行った後、決済信号によって決済取引を完了させるために用いられる。
【００２０】
決済データ送信モジュール２３は、スピーカであり、当該スピーカは１０ｋＨＺ〜２０ｋＨＺの周波数で対外的にアナログ信号を発信する。音波受信モジュール１０１は、マイクである。当該マイクは、キーパッド本体内に設けられている。キーパッド本体に貫通孔を設けており、マイクが貫通孔を通じてアナログ信号を受信する。このように、マイクがキーパッド内に統合されており、キーパッドのスペースを占めないため、小型化設計に便利である。
【００２１】
電子機器２は、携帯電話、ＰＡＤ、タブレット型コンピュータ又はノートブックコンピュータであることが好ましい。或いは、電子機器２を、上記以外のスピーカ付き電子機器としてもよい。
【００２２】
＜本実施形態の有益な効果＞
電子機器を利用して音波方式で暗証キーパッドにアナログ信号を送信し、また暗証キーパッド上に音波受信モジュール及び信号処理モジュールを増設することで、アナログ信号を受信すると共に処理して決済信号を形成でき、ユーザーが暗証キーパッド上で数字をキーインすることで、キー信号を生成して決済の安全性を確認し、最終的にＰＯＳターミナルで決済取引を完了させる。このようにして、従来技術と新たな技術とを結び付けてユーザーの決済時に複数の決済選択肢を提供できる。これにより、ユーザーの普遍性と満足度を大幅に向上できると共に、各種従来の手入力による決済と新たな携帯電話、ＰＡＤ等のモバイル決済との互換性があり、決済がより一層便利で、誤り率も減少する。これに加え、電子機器上に設けられた決済データ処理モジュール及び暗証キーパッド上に設けられた信号処理モジュールが決済データを暗号化又は復号化できるため、音波による決済の安全性と信頼性を保証できる。また、マイクがキーパッド内に統合されており、キーパッドのスペースを占めないため、小型化設計に便利である。
【００２３】
図４を参照すると、本発明の一実施形態に係る決済方法は、次のステップを含む。
Ｓ１０：暗証キーパッドがＰＯＳターミナルの取引フローに応答して音波による決済の受信待ち状態に入り、暗証キーパッドと電子機器との間の通信リンクを確立する。
Ｓ２０：電子機器が、ユーザーの選択した音波による決済の操作によって取引に用いる決済データを生成する。
Ｓ３０：電子機器内において決済データに対し暗号化、エンコード及び変調処理を行った後、音波方式で暗証キーパッドにアナログ信号を送信する。
Ｓ４０：暗証キーパッドがアナログ信号を受信すると共にアナログ信号に対しフィルタ及び増幅処理を行う。
Ｓ５０：暗証キーパッドがフィルタや増幅処理を行った後のアナログ信号に対しサンプリング処理を行ってデジタル信号を生成する。
Ｓ６０：暗証キーパッドがデジタル信号に対し復調、デコード及び復号化処理を行って決済信号を得る。
Ｓ７０：暗証キーパッドがユーザーからキーインされた数字に応答してキー信号を生成すると共にＰＯＳターミナルにアップロードする。
Ｓ８０：ＰＯＳターミナルが、キー信号に対し確認処理を行った後、決済信号によって決済取引を完了させる。
【００２４】
好ましくは、ステップＳ３０において「電子機器内において決済データに対し暗号化、エンコード及び変調処理を行う」ときに、２相又は４相の位相変調処理方式を通じて暗号化及びエンコードした後の決済データを処理し、ステップＳ６０において「暗証キーパッドがデジタル信号に対し復調、デコード及び復号化処理を行う」ときに、２相又は４相の位相復調方式を通じてデジタル信号に対し復調、デコード及び復号化処理を行う。データ転送に用いる位相変調方式は、ニーズに応じて２相、４相等の異なる方式を用いることができ、信号が録音されても、容易にクラッキングされることがない。本実施形態で用いられる位相方式は、極めて大きく伝送速度をアップすることができ、ユーザーが許す取引時間内において有用データを暗号化し、データパケット構造を完備するデータ容量があり、データがより一層クラッキングされ難い。
【００２５】
上記アナログ信号の周波数は、１０ｋＨＺ〜２０ｋＨＺであることが好ましい。アナログ信号の周波数は、具体的なニーズに応じて設計でき、１０ｋＨＺ、１５ＫＨＺ、２０ｋＨＺ等としてもよい。
【００２６】
＜本実施形態の有益な効果＞
音波による決済を実現でき、また決済の信頼性も保証でき、設計ニーズを満たして、人々の生活をより便利にする。また、データ転送に用いる位相変調方式は、ニーズに応じて２相、４相等の異なる方式を用いることができるため、信号が録音されたとしても、容易にクラッキングされることもないため、音波による決済の安全性を大幅に高めることができる。
【００２７】
以上に述べたのは、あくまでも本発明の実施形態であって、本発明の保護範囲は、これら実施形態により何ら限定されるものではない。本明細書及び添付図面の内容に基づいて行われる様々な構造又はフローの変更或いは直接的若しくは間接的にその他の関連の技術分野に運用することは、いずれも本発明の保護範囲内に含まれる。
【符号の説明】
【００２８】
１  暗証キーパッド
１０  音波処理コンポーネント
１０１  音波受信モジュール
１０２  音波フィルタモジュール
１０３  音波増幅モジュール
１０４  音波サンプリングモジュール
２０１  テンキーモジュール
２０２  ファンクションキーモジュール
３０  データ処理チップ
４０  通信インターフェース
２  電子機器
２１  決済データ生成モジュール
２２  決済データ処理モジュール
２３  決済データ送信モジュール
３  ＰＯＳターミナル
【図１】
2017526991.tif 000003
【図２】
2017526991.tif 000004
【図３】
2017526991.tif 000005
【図４】
2017526991.tif 000006
【国際調査報告】
2017526991.tif 000007
2017526991.tif 000008
2017526991.tif 000009
2017526991.tif 000010